(57)【特許請求の範囲】
【請求項１】
金属光沢を有する基材上に印刷インキ層が配置されている印刷物であって、
前記印刷インキ層が白色インキとメジウムとを混合した混合インキで構成されており、
これら白色インキとメジウムとが、これらを１：１の重量比で混合した混合インキを印刷した場合の白色度が、メジウムを混合することなく前記白色インキを印刷した場合の白色度の７０％であるものであり、
前記混合インキが、これら白色インキとメジウムとを、重量比が１４：８６〜５７：４３の割合で混合したものであることを特徴とするパール調印刷物。
【請求項２】
前記基材が、紙上に金属蒸着層が積層されているものであることを特徴とする請求項１に記載のパール調印刷物。
【請求項３】
前記基材が、紙上に金属箔が積層されているものであることを特徴とする請求項１に記載のパール調印刷物。
【請求項４】
前記紙が板紙であることを特徴とする請求項２又は３に記載のパール調印刷物。
【請求項５】
前記印刷インキ層上に透明保護層が積層されていることを特徴とする請求項１〜４のいずれかに記載のパール調印刷物。
【発明の詳細な説明】
【技術分野】
【０００１】
本発明はパール光沢を有する印刷物に関する。この印刷物は、例えば、紙を基材として、紙箱に製函して使用することができる。
【背景技術】
【０００２】
パール光沢は、一般に、光の多重干渉によってもたらされる。例えば、多層構造を有する雲母等の粉末を顔料として印刷インキを調整したものはパールインキとして知られている。このパールインキを紙等の基材に印刷すれば、パール光沢を有するパール調印刷物を得ることができる（特許文献１）。
【０００３】
また、紙等の基材に多層構造の透明蒸着膜を真空蒸着することによって、パール光沢を有するパール紙を製造できることも知られている。透明蒸着膜の代わりに透明な塗布膜を多層構造に積層した場合にもパール紙を製造することができる。
【０００４】
しかしながら、例えば、この基材上にオフセット印刷によって印刷絵柄を施す場合には、様々な困難がある。例えば、基材上にパールインキを板グラビアで印刷する場合には、そのインキ中に含まれる溶剤が残留して溶剤の臭気が残り、食品等を収容する紙箱には剥かない。
【０００５】
また、パールインキをグラビア印刷する場合には、このパールインキ層の上にアンカーコートを施した後印刷絵柄をオフセット印刷する必要があり、その工程数が多くなる。また、グラビア印刷は大量印刷に適する印刷方法であるため、少ロットの印刷には適しておらず、コストの増加を引き起こし易い。
【０００６】
また、パールインキをオフセット印刷する場合には、インキの厚盛りが困難であり、パール光沢が発揮できない。
【０００７】
また、市販のパール紙を基材に張り合わせる方法もあるが、この場合にはコスト高と成る上、部分的に張り合わせることができない。
【先行技術文献】
【特許文献】
【０００８】
【特許文献１】実開昭５９−５９９３５号公報
【発明の概要】
【発明が解決しようとする課題】
【０００９】
そこで、本発明は、光の多重干渉を利用することなく、パール光沢を有する印刷物を提供することを目的とする。この印刷物は、市販のパール紙を使用することなく、印刷技術を用いることで容易に製造できる。
【課題を解決するための手段】
【００１０】
すなわち、請求項１に記載の発明は、金属光沢を有する基材上に印刷インキ層が配置されている印刷物であって、
前記印刷インキ層が白色インキとメジウムとを混合した混合インキで構成されており、
これら白色インキとメジウムとが、これらを１：１の重量比で混合した混合インキを印刷した場合の白色度が、メジウムを混合することなく前記白色インキを印刷した場合の白色度の７０％であるものであり、
前記混合インキが、これら白色インキとメジウムとを、重量比が１４：８６〜５７：４３の割合で混合したものであることを特徴とするパール調印刷物である。
【００１１】
次に、請求項２に記載の発明は、前記基材が、紙上に金属蒸着層が積層されているものであることを特徴とする請求項１に記載のパール調印刷物である。
【００１２】
また、請求項３に記載の発明は、前記基材が、紙上に金属箔が積層されているものであることを特徴とする請求項１に記載のパール調印刷物である。
【００１３】
また、請求項４に記載の発明は、前記紙が板紙であることを特徴とする請求項２又は３に記載のパール調印刷物である。
【００１４】
また、請求項５に記載の発明は、前記印刷インキ層上に透明保護層が積層されていることを特徴とする請求項１〜４のいずれかに記載のパール調印刷物である。
【発明の効果】
【００１５】
本発明の印刷物は、金属光沢を有する基材上に白色度の低い印刷インキ層が配置されており、金属光沢面で正反射された反射光が、印刷インキ層に含まれるわずかな白色顔料によって散乱される。そして、この散乱光同士が互いに干渉するため、この印刷物はパール調を呈することとなる。
【００１６】
印刷インキ層は任意の印刷方法によって印刷でき、例えば、オフセット印刷法によって印刷できるから、この上にアンカーコート層を設けることなく、そのままオフセット印刷法で印刷絵柄を印刷することができる。もちろん、市販のパール紙を別途準備する必要もない。
【図面の簡単な説明】
【００１７】
【図１】本発明の印刷物の例を示し、図１（ａ）はその第１の例の断面説明図、図１（ｂ）は第２の例の断面説明図である。
【発明を実施するための形態】
【００１８】
本発明の印刷物は基材と印刷インキ層とを必須の構成要素とするものである。この他、印刷インキ層上に透明保護層が積層されていてもよいし、有彩色又は無彩色の印刷絵柄を有していてもよい。
【００１９】
図１（ａ）は、基材１上に印刷インキ層２及び透明保護層３をこの順に積層して構成されるパール調印刷物１００の断面説明図である。
【００２０】
基材１は、その表面が金属光沢を有する必要がある。このような基材としては、紙１１の上に金属蒸着層１２が積層されたものが例示できる。また、プラスチックフィルムに金属蒸着層を設けて蒸着フィルムとし、この蒸着フィルムを紙１１に張り合わせたものも使用できる。この他、紙１１に金属箔を積層したものを基材１とすることも可能である。金属箔としてはアルミニウム箔を好適に使用できる。紙１１としては、板紙を好適に使用することができ、このように板紙を使用して製造したパール調印刷物は食品用紙箱の素材として使用できる。
【００２１】
印刷インキ層２は、市販の白色インキにメジウムを混合して、その濃度を薄くしたものが使用できる。市販の白色インキとしては、例えば、東洋インキ製造（株）製ＦＤコンク白ＵＴＫを使用できる。
【００２２】
この白色インキとメジウムとを１：１の重量比で混合した混合インキを印刷した場合、その印刷インキ層の白色度は、メジウムを混合することなく白色インキを印刷した印刷イ
ンキ層の白色度の約７０％（半調７０％）である。そこで、このように白色インキとメジウムとの混合比が１：１の重量比である場合を半調７０％として、印刷インキ層２は半調２０〜８０％の混合インキで構成する必要がある。印刷インキ層２がこれに満たない場合には、基材１で正反射された反射光に散乱が不十分でパール光沢が得られない。他方、これより多い場合には、印刷インキ層２の隠蔽力が強いため、やはり、パール光沢が得られない。なお、白色インキとメジウムとを１：１の重量比が１４：８６の場合半調２０％、５７：４３の場合半調８０％である。
【００２３】
この印刷インキ層２は任意の印刷方法によって印刷することができる。例えば、オフセット印刷法、グラビア印刷法、板グラビア印刷法、フレキソ印刷法等である。印刷絵柄を設ける場合には、この印刷絵柄と同じ印刷方法で印刷することが望ましい。例えば、印刷絵柄をオフセット印刷法で印刷する場合には、印刷インキ層２の印刷方法もオフセット印刷法である。
【００２４】
また、この印刷インキ層２は、基材１の全面に設けることもできるが、パターン状に、すなわち、部分的に設けることもできる。図１（ａ）に示す印刷物は、基材１に中央に部分的に印刷インキ層２を設けたものである。
【００２５】
次に、透明保護層３は、印刷インキ層２を傷や汚れから保護する機能を有するもので、透明なオーバープリントニスを塗布して形成することができる。このようなオーバープリントニスとしては、例えば、東洋インキ製造（株）製ＦＤクリアＳＨを挙げることができる。なお、このオーバープリントニスとして紫外線硬化型の高光沢ニスを使用することも可能である。また、透明なフィルムを貼り合わせて透明保護層３としてもよいし、透明樹脂を溶融状態で押出しコーティングして透明保護層３としてもよい。
【００２６】
この透明保護層３は印刷インキ層２を被覆して積層することが望ましい。基材１の全面に積層してもよいが、部分的であってもよい。図１（ａ）は、印刷インキ層２を被覆して、しかも、部分的に透明保護層３を積層した例である。
【００２７】
次に、図１（ｂ）は、印刷絵柄４を有するパール調印刷物１００の例を示す断面説明図である。この例は、印刷絵柄４を有する他、図１（ａ）の印刷物と同様である。印刷絵柄４は有彩色であってもよいし、無彩色であってもよい。また、その位置は、印刷インキ層２と透明保護層３との間、あるいは透明保護層３の上に配置することができる。望ましくは印刷インキ層２と透明保護層３との間であり、この位置に印刷絵柄４を配置することにより、傷や汚れから印刷絵柄４を守ることができる。なお、印刷絵柄４の印刷方法は前述のとおりである。
【実施例】
【００２８】
次に、実施例に基づいて本発明を説明する。
【００２９】
基材１として、板紙に蒸着フィルムを積層したシートを使用した。板紙は京王製紙（株）製ブリリアンＳＢ（坪量３１０ｇ／ｍ２）である。
【００３０】
次に、白色インキとして東洋インキ製造（株）製ＦＤコンク白ＵＴＫを使用し、この白色インキにメジウムを混合して、濃度の薄い印刷インキを調製した。混合比（重量比）は、半調（％）と共に表１に示す。
【００３１】
そして、この印刷インキを前記基材１上に印刷して印刷インキ層２を形成した。印刷方法はオフセット印刷法で、基材１の中央に部分的に印刷した。
【００３２】
そして、東洋インキ製造（株）製ＦＤクリアＳＨをオーバープリントニスとして使用し、印刷インキ層２を被覆して、しかも、部分的に塗布して、透明保護層３を形成した。
【００３３】
得られた印刷物１００を肉眼で観察して、パール光沢の有無を判定した。パール光沢が観察できたものを「○」、パール光沢が感じられなかったものを「×」として、表１に示す。
【００３４】
【表１】
0006780235.tif 000002
【００３５】
この結果から分かるように、半調２０〜８０％の混合インキを使用した場合にはパール光沢を観察することができるが、これに満たない混合インキを使用した場合、あるいは、これを超える混合インキを使用した場合は、いずれの場合にも、パール光沢が観察できなかった。このため、半調２０〜８０％の混合インキを使用して、金属光沢を有する基材１上に印刷インキ層２を形成した場合には、パール調の印刷物が得られることが理解できる。
【符号の説明】
【００３６】
１００：パール調印刷物
１：基材    １１：紙    １２：金属蒸着層
２：印刷インキ層
３：透明保護層
４：印刷絵柄
【図１】
0006780235.tif 000003